(57)【特許請求の範囲】
【請求項１】
少なくとも受話部と第１の表示部と第２の表示部とを有する第１の筐体と、送話部とキーとを有する第２の筐体とからなる携帯電話機であって、
少なくとも電話番号と名前情報と該名前情報に付随する情報とを関連付けた電話帳情報を複数記憶する記憶手段と、
前記複数の電話帳情報の一つが選択されると、対応する電話番号と名前情報と該名前情報に付随する情報とを第１の表示部に表示する第１の制御手段と、
前記第１の筐体の前記受話部が備えられた面と、前記第２の筐体の前記送話部が備えられた面とが重なり合っている状態で着信を検出し、かつ発信側から送信される電話番号情報と前記記憶手段に記憶されている電話番号とが一致する場合、前記第２の表示部に該一致する電話番号に関連付けられた名前情報に付随する情報を前記第１制御手段によって表示される前記付随する情報とは異なる文字形態によって表示する第２の制御手段と
を有することを特徴とする携帯電話機。
【請求項２】
少なくとも受話部と第１の表示部と第２の表示部とを有する第１の筐体と、送話部とキーとを有する第２の筐体とからなる携帯電話機であって、
少なくとも電話番号と名前情報と該名前情報に付随する情報とを関連付けた電話帳情報を複数記憶する記憶手段と、
前記複数の電話帳情報の一つが選択されると、対応する電話番号と名前情報と該名前情報に付随する情報とを第１の表示部に表示する第１の制御手段と、
前記第１の筐体の前記受話部が備えられた面と、前記第２の筐体の前記送話部が備えられた面とが重なり合っていない状態で着信を検出し、かつ発信側から送信される電話番号情報と前記記憶手段に記憶されている電話番号とが一致する場合、前記第１の表示部に該一致する電話番号に関連付けられた名前情報を表示する第２の制御手段と、
前記第１の筐体の前記受話部が備えられた面と、前記第２の筐体の前記送話部が備えられた面とが重なり合っている状態で着信を検出し、かつ発信側から送信される電話番号情報と前記記憶手段に記憶されている電話番号とが一致する場合、前記第２の表示部に該一致する電話番号に関連付けられた名前情報に付随する情報を前記第１制御手段によって表示される前記付随する情報とは異なる文字形態によって表示する第３の制御手段と
を有することを特徴とする携帯電話機。
【請求項３】
少なくとも受話部と第１の表示部と第２の表示部とを有する第１の筐体と、送話部とキーとを有する第２の筐体とからなる携帯電話機であって、
少なくともメールアドレス情報と名前情報と該名前情報に付随する情報とを関連付けた電話帳情報を複数記憶する記憶手段と、
前記複数の電話帳情報の一つが選択されると、対応するメールアドレス情報と名前情報と該名前情報に付随する情報とを第１の表示部に表示する第１の制御手段と、
前記第１の筐体の前記受話部が備えられた面と、前記第２の筐体の前記送話部が備えられた面とが重なり合っている状態でメール受信を検出し、かつメール送信側から送信されるメールアドレス情報と前記記憶手段に記憶されているメールアドレスとが一致する場合、前記第２の表示部に該一致するメールアドレスに関連付けられた名前情報に付随する情報を前記第１制御手段によって表示される前記付随する情報とは異なる文字形態によって表示する第２の制御手段と
を有することを特徴とする携帯電話機。
【請求項４】
前記名前情報に付随する情報は前記名前情報に対応付けられたフリガナ情報であって、
前記第２の制御手段において表示される付随する情報はローマ字に変換されて表示されることを特徴とする請求項１乃至請求項３のいずれか１項に記載の携帯電話機。
【請求項５】
少なくとも受話部と第１の表示部と第２の表示部とを有する第１の筐体と、送話部とキーとを有する第２の筐体とからなる携帯電話機であって、
前記第１の筐体の前記受話部が備えられた面と、前記第２の筐体の前記送話部が備えられた面とが重なり合っていない状態で予め定められたイベントが検出された場合、前記第１の表示部に該イベントに関連付けられた情報を表示する第１の制御手段と、
前記第１の筐体の前記受話部が備えられた面と、前記第２の筐体の前記送話部が備えられた面とが重なり合っている状態で前記予め定められたイベントが検出された場合、前記第２の表示部に該イベントに関連付けられた情報を前記第１制御手段によって表示される前記イベントに関連付けられた情報とは異なる文字形態によって表示する第２の制御手段と
を有することを特徴とする携帯電話機。
【発明の詳細な説明】
【技術分野】
【０００１】
本発明は携帯電話機に関する。
【背景技術】
【０００２】
近年、携帯型の情報機器の進歩および普及にはめざましいものがある。また、技術的な進歩だけでなく、デザイン性を重視した携帯電話機も、数多く開発されるようになっている。
【０００３】
また、従来、開いた時に主に表示されるメイン液晶と、閉じた時に主に表示されるサブ液晶を備えた折りたたみ式の携帯電話機において、着信があった場合、受信した電話番号をサブ液晶に表示する技術、あるいは、予め電話番号と名前を対応付けて電話帳に記憶しておき、着信があった場合には、受信した電話番号に対応付けられた名前をサブ液晶に表示する技術がある（例えば特許文献１）。
【特許文献１】特開２００４−３２０６１９号公報（４頁参照）
【発明の開示】
【発明が解決しようとする課題】
【０００４】
デザイン性を重視し、上記従来技術のサブ液晶の代わりに例えばＬＥＤのような発光素子を用いた場合、デザイン性は大きく上がるものの、一度に表示できる情報は大きく減少する。例えば、着信があった場合、閉じた状態においてもどこからの着信かをユーザが知ることができなければ、デザイン性を高めたとしても、あまり意味のなさないものとなる。このように、デザイン性を高めた場合においても、ユーザの利便性を落とさないように、何らかの形でユーザに情報を表示させる必要がある。例えば、折りたたみ式の携帯電話機にサブ液晶を採用した場合において、音声着信があった場合にはサブ液晶に電話帳に登録された発信元の電話番号に対応する名前を表示すること（通常は漢字名）が一般的であるが、サブ液晶を採用せずに、セグメントＬＥＤを用いた場合、表示する文字の数には限界があり、漢字によって表示するのは不可能である。
【０００５】
本発明は上記問題点を解決したものであって、サブ液晶の代わりに他の発光素子を用いた場合においても、ユーザにより多くの情報を表示できる携帯電話機を提供することを目的とする。
【課題を解決するための手段】
【０００６】
本発明の携帯電話機は、少なくとも受話部と第１の表示部と第２の表示部とを有する第１の筐体と、送話部とキーとを有する第２の筐体とからなる携帯電話機であって、少なくとも電話番号と名前情報と該名前情報に付随する情報とを関連付けた電話帳情報を複数記憶する記憶手段と、前記複数の電話帳情報の一つが選択されると、対応する電話番号と名前情報と該名前情報に付随する情報とを第１の表示部に表示する第１の制御手段と、前記第１の筐体の前記受話部が備えられた面と、前記第２の筐体の前記送話部が備えられた面とが重なり合っている状態で着信を検出し、かつ発信側から送信される電話番号情報と前記記憶手段に記憶されている電話番号とが一致する場合、前記第２の表示部に該一致する電話番号に関連付けられた名前情報に付随する情報を前記第１制御手段によって表示される前記付随する情報とは異なる文字形態によって表示する第２の制御手段とを有することを特徴とする。
【発明の効果】
【０００７】
本発明によれば、サブ液晶の代わりに他の発光素子を用いた場合においても、ユーザにより多くの情報を表示できる携帯電話機を提供することができる。
【発明を実施するための最良の形態】
【０００８】
以下に、本発明の実施の形態を説明する。
【実施例】
【０００９】
以下に、本発明を携帯電話機に適用した場合における一つの実施の形態を、図面を用いて説明する。図１、図２は携帯電話機１の外観を示した図であり、また図４は携帯電話機１のブロック図を示したものである。  
まず、携帯電話機１の構造を図１、図２を用いて説明する。図１は、携帯電話機１を約１８０度開いた時の外観図である。図１（Ａ）は正面から見た図、図１（Ｂ）は側面から見た図である。
【００１０】
次に、図２は携帯電話機１を閉じた時の図である。図２（Ａ）は正面から見た図、図２（Ｂ）は側面から見た図である。
【００１１】
携帯電話機１は上筐体部２と下筐体部４がヒンジ部３を介して接続されており、上筐体部２にはＬＣＤなどのディスプレイ５、受信した音声を発声するレシーバ９、携帯電話機１の状態を検知するための磁気センサ１１ａ、カメラ１２、及び複数の１６セグメントのＬＥＤと単体のＬＥＤからなるサブ表示部１３を有している。また、下筐体部４には、数字、文字、携帯電話機１の操作等を入力するためのキー６、更には携帯電話機１の操作を行うサイドキー７ａ乃至７ｃ、集音するためのマイク（送話口）８、及び携帯電話機１の状態を検知するための磁気センサ１１ｂを有している。
【００１２】
図４は、携帯電話機１の構成を簡潔に示したブロック図である。携帯電話機１の内部には、携帯電話機１全体の制御を行う制御部１０１と、ＲＡＭ・ＮＡＮＤメモリなどで構成される記憶部１１５と、ディスプレイ５を表示制御する第１表示制御部１０５・サブ表示部１３を表示制御する第２表示制御部１１３と、キー６及びサイドキー７の押下を認識する入力部１０６と、アンテナ１１７を用いて無線通信制御を行う通信部１１６とを備えており、制御部１０１によって全体が制御されている。また、マイク１０８はマイク８に対応し、スピーカ１０９はスピーカ９に対応する。
【００１３】
記憶部１１５は、制御部１０１が実行するプログラム、各種の情報データなどが保存されている。また、記憶部１１５の内部は電話帳情報記憶部１１５ａ、文字変換テーブル記憶部１１５ｂ、及びフォントマップ記憶部１１５ｃが存在する。電話帳情報記憶部１１５ａは、予めユーザがキー６によって入力される名前・フリガナ・電話番号・Ｅメールアドレスなどが１組となったものが複数組記憶されている。また、文字変換テーブル記憶部１１５ｂは、カタカナ文字や記号をローマ字に変換するために必要なテーブルが記憶されている。また、フォントマップ記憶部１１５ｃには、サブ表示部１３の１６セグメントＬＥＤにおいて、ある文字を表示する際にどのＬＥＤを点灯させる必要があるかを対応付けたテーブルが記憶されている。
【００１４】
第１表示制御部１０５・第２表示制御部１１３は、それぞれディスプレイ５及びサブ表示部１３を表示制御するものであり、制御部１０１から出力命令される表示データを表示制御する。サブ表示部１３に関しては、後ほど説明する。
【００１５】
通信部１１６は、制御部１０１によって命令された情報を、無線通信によって送信したり、メールサーバより無線通信によって送られた情報を受信したりする機能を有する。また、電話機能による通話の際も、通信部１１６を通じて基地局からの信号を受信することにより、着信を通知したり、通話が行われたりする。
【００１６】
入力部１０６は、キー６及びサイドキー７の押下を認識するものであって、数字キーや文字キー、メール編集の決定・中止などのファンクションキーを含む複数のキーの押下を
それぞれ認識することができ、利用者が入力操作したキー６の入力に応じて、キーを識別する識別信号を制御部１０１へ通知し、制御部１０１がその動作を開始する。
【００１７】
図３は、本発明のディスプレイ５の表示例、およびキー６の配置の一例を示した図であり、図３（Ａ）はディスプレイ５の表示例、図３（Ｂ）はキー６の配置の一例である。図３（Ａ）に示されるように、携帯電話機１のディスプレイ５には、一番上の行（以下上ピクト行とする）には、現在のアンテナ１１７の感度のレベルを示したアンテナピクト５１と、携帯電話機１の現在の電池残量を示した電池ピクト５２と、現在の時刻を表示する時刻表示５３とが表示されている。さらに、携帯電話機１のディスプレイ５の一番下の行（以下下ピクト行とする）には、現在表示されている機能において、ソフトキー左６４・ソフトキー中６５・ソフトキー右６６を押下すると実行される機能の簡単な説明が、それぞれソフトキー左６４については左下ピクト５４、ソフトキー中６５については中下ピクト５５、ソフトキー右６６については右下ピクト５６になされている。たとえば、図３（Ａ）のような表示がなされている場合、ソフトキー左６４を押下すると、「戻る」という機能が実行され、ソフトキー中６５を押下すると、図示していないが、現在フォーカスが当たっている機能を選択することができる。また、ソフトキー右６６を押下すると、「サブメニュー」が表示される。なお、ソフトキー中６５の操作は十字キー６７の真ん中にある決定キーにおいても行うことができる。
【００１８】
図３（Ｂ）に示されるように、下筐体４には、キー６として、数字キー６１、「＊」キー６２、「＃」キー６３、ソフトキー左６４、ソフトキー中６５、ソフトキー右６６、十字キー６７、メールキー６８、ブラウザキー６９、通話キー７０、電源キー７１、及びクリアキー７２を有する。数字キー６１は、数字のほかに、かな文字、記号文字、アルファベット等が割り当てられており、例えば、「１」のキーには、数字「１」、「あ」「い」「う」「え」「お」のかな文字、及び「．」「＠」の記号が割り当てられており、「２」のキーには、数字「２」、「か」「き」「く」「け」「こ」のかな文字、及び「Ａ」「Ｂ」「Ｃ」「ａ」「ｂ」「ｃ」などのアルファベットが割り当てられている。
【００１９】
十字キー６７は、当てられたカーソルを上下左右方向に移動することができることに加え、真ん中にある部分（以下決定キーと呼ぶ）を押下すると、さまざまな機能を確定することができる。また、メールキー６８はメールの送受信機能を呼び出すことができる。また、ブラウザキーは、Ｗｅｂなどに接続することができる。
【００２０】
通話キー７０は、電話を受ける際や、発信する際に用いるためのキーであり、電源キー７１は、電源のＯＮ・ＯＦＦ、終話の際、及び機能、編集を終了する際に用いる。更に、クリアキー７２は、機能・編集をクリアする際、及び文字入力の際に文字を消去する際に用いる。また、クリアキー７２は待ち受け画面において押下すると、メモ帳を呼び出すことができる。
【００２１】
次に、図５を用いて電話帳情報記憶部１１５ａに記憶されている情報について説明する。図５（Ａ）は電話帳情報記憶部１１５ａに記憶された、１つの組の電話帳情報の要素を説明する図である。１つの組の電話帳情報の要素としては、名前を記憶するエリア８１、その名前のフリガナ（ユーザが任意の文字列を登録可能）を記憶するエリア８２、第１の電話番号を記憶するエリア８３ａ、第２の電話番号を記憶するエリア８３ｂ、第１のＥメールアドレスを記憶するエリア８４ａ、第２のＥメールアドレスを記憶するエリア８４ｂ、当該電話帳情報をどのグループに属するかの情報をグループのマークに関連付けて記憶するエリア８５、当該第１の電話番号及び第２の電話番号から着信があった場合に、ディスプレイ５に表示するための画像を登録するエリア（実際に画像が登録されているメモリのアドレスをこのエリアに登録し、必要に応じてリンクさせるようにしてもよい）８６と、音声着信あるいはメール受信の際にユーザに報知するための着信音を登録するエリア（実際に音楽が登録されているメモリのアドレスをこのエリアに登録し、必要に応じてリンクさせるようにしてもよい）８７などがある。
【００２２】
電話帳情報記憶部１１５ａに記憶された１つの組の電話帳情報は、待受画面からソフトキー中６５を押下することによって、その一覧がディスプレイ５に表示される。更にディスプレイ５に表示された複数の電話帳情報の一覧から１つの電話帳情報が選択されると、制御部１０１は、図５（Ｂ）に示すように、名前を記憶するエリア８１に記憶された名前、フリガナを記憶するエリア８２に記憶されたフリガナ、第１の電話番号を記憶するエリア８３ａに記憶された第１の電話番号、第２の電話番号を記憶するエリア８３ｂに記憶された第２の電話番号、第１のＥメールアドレスを記憶するエリア８４ａに記憶された第１のＥメールアドレス、第２のＥメールアドレスを記憶するエリア８４ｂに記憶されたＥメールアドレスが表示され、更に、そのものが属するグループエリアに記憶されたグループアイコンが表示される。
【００２３】
次に、サブ表示部１３について図６乃至図８を用いて詳細を説明する。サブ表示部１３は、第２表示制御部１１３によって表示制御されている。図６はサブ表示部１３を説明するための図である。図１６（ａ）に示されるように、サブ表示部１３は、１６セグメントのセグメントＬＥＤ２１とＬＥＤ２２からなる。ＬＥＤ２２は、主に音声着信が発生した場合、メール着信が発生した場合などに点滅し、また携帯電話機１の充電を行っている際にも点灯する。
【００２４】
また、セグメントＬＥＤ２１は、１６セグメントのＬＥＤが複数個並べられており、図６（Ｂ）や、図６（Ｃ）に示すように、時間や、受信電界強度、電池残量などを表示することができるようになっている。
【００２５】
図７は、携帯電話機１におけるイベント発生時にセグメントＬＥＤ２１の表示例を示したものである。なお、携帯電話機１において予め記憶部１１５に、イベント情報９１とシェル（上筐体２と下筐体４とを指す、以下同じ）が閉じられた時にどのような表示をすべきかの情報が記憶された閉状態表示変換情報９２と、シェルが開かれている時にどのような表示をすべきかの情報が記憶された開状態表示変換情報９３とが関連付けられて記憶されており、更に、該イベントに関連する関連情報９４、非充電時タイムアウト情報９５、及び充電時タイムアウト情報９６もイベント情報９１に関連付けられて記憶部１１５に記憶されている。
【００２６】
まず、図７（１）において、時計表示はシェルが開いている状態から閉じられた状態に変化したことを磁気センサ１１ａと１１ｂが検知すると、制御部１０１はサブ表示部１３に時計表示を行う。また、サイドキー７ｃを押下した場合にも表示される。そして、表示から２秒後、サブ表示部１３の表示が消える。また、図７（２）に示すように、充電中にも時計表示はシェルが閉じている状態においては、常に表示される。図７（１）・（２）における時計表示中にサイドキー７ａまたは７ｂが押下されると、それぞれ輝度が調整できる。
【００２７】
また、図７（３）に示したように、図７（１）・（２）の表示状態において、サイドキー７ｃを押下すると時計表示が月日曜日表示に変わる。シェルが閉じている時のみ表示され、シェルが開いている時には表示しない。また、月日曜日表示がなされた２秒後に表示が消える。また、充電中は２秒後に時計表示（図７（２））に変わる。
【００２８】
また、図７（４）に示したように、図７（３）の月日曜日表示状態において、サイドキー７ｃを押下すると、月日曜日表示がアンテナ・電池残量表示に変わる。シェルが閉じている時のみ表示され、シェルが開いている時には表示しない。また、アンテナ・電池残量表示がなされた２秒後に表示が消える。また、充電中は２秒後に時計表示（図７（２））に変わる。
【００２９】
また、図７（５）に示したように、シェルを閉じた状態において、通信部１１６を通じて未開封のＥメールの受信があるか、または不在着信があった場合において、サイドキー７ｃが押下された場合の時計表示は図７（１）・（２）の表示に加え、「ＩＮＦＯ」の文字が表示される。なお図７（１）・（２）同様、シェルを開いている際には時計表示がなされない。また、充電中は図７（５）に示された表示が継続される。
【００３０】
次に、音声着信があった場合のサブ表示部１２の表示態様について説明する。まず、シェルが開いている場合には原則として、サブ表示部１３には何も表示されない。図７（６）に示されたように、シェルが閉じている時に、電話帳に登録されたメンバーからの音声着信があると、電話帳情報記憶部１１５ａに記憶された電話番号に対応するフリガナがローマ字に変換されて表示される。ローマ字に変換された後の文字列のうち先頭８文字のみが表示され、その後の文字は切り捨てられる。なお、全てのフリガナ文字を所定秒ごとにスクロールするように表示させてもよい。なお音声着信があった場合の表示態様については後ほど詳細を説明する。
【００３１】
また、図７（７）・（８）に示されたように、電話帳に登録されていないメンバーからの音声着信があった場合、着信番号表示なし機能を選択した場合、及び番号非通知の場合には、音声着信があった旨のみが表示される。
【００３２】
また、図７（９）に示されたように、通話中には、シェルを閉じている時も、開いている時も所定時間の間、アニメーションがランダムに表示される。
【００３３】
また、図７（１０）・（１１）に示したように、音声着信があり、所定時間内に着信に出なかった場合には、応答メッセージを再生し、相手方のメッセージを録音するが、その場合にはその旨の表示と、相手方の電話番号に対応するフリガナがローマ字にて表示される。
【００３４】
また、図８（１２）乃至（２５）に示したように、それぞれの状況に応じた表示がサブ表示部１３に表示される。なお、図８（１４）において、予め電話帳登録されたメンバーからＥメールを受信完了した場合には、Ｅメールを受信した旨と、電話帳に登録されたＥメールアドレスに対応するローマ字が表示される。
【００３５】
なお、以上の図７・図８の説明は一例であって、これに限定されるものではない。「２秒後」という記載はあくまで例であって、他の秒数でもかまわない。
【００３６】
次に、携帯電話機１において、あるイベントが発生した場合のサブ表示部１３のセグメントＬＥＤ２１の表示のための制御部１０１の制御について図９のフローチャートを用いて説明する。なお、ここで言うイベントとは、例えば、図７・図８で説明したイベント情報９１や、通常の携帯電話機の動作（着信・メニュー呼出・機能設定など）などを指す。
【００３７】
まず、携帯電話機１にイベントが発生すると（ステップ２０１「Ｙｅｓ」）、制御部１０１は、セグメントＬＥＤ２１の表示に関連するイベントであるか否かを判断する（ステップＳ２０２）。そして、セグメントＬＥＤ２１の表示に関連しないイベントであれば（ステップＳ２０２のＮｏ）、そのままイベントを実行する（ステップ２０８）。
【００３８】
また、セグメントＬＥＤ２１の表示に関連するイベントであった場合（ステップＳ２０２のＹｅｓ）、シェルが開いている状態か、閉じている状態かを判断する（ステップＳ２０３）。そして、筐体が閉状態であれば、制御部１０１は記憶部１１５に記憶された閉状態表示変換情報９２に基づいて、セグメントＬＥＤ２１へ表示するために必要な情報を読み出す（ステップ２０４ａ）。また、シェルが開状態であれば、制御部１０１は記憶部１１５に記憶された開状態表示変換情報９３に基づいて、セグメントＬＥＤ２１へ表示するために必要な情報を読み出す（ステップ２０４ｂ）。その後、読み出した情報を他の情報に変換する必要があるか否かを判断する（ステップＳ２０５）。そして、読み出した情報が他の情報に変換する必要があれば、読み出した情報を表示すべき情報（他の情報）へ変換する（ステップＳ２０６）。なお、他の情報へ変換する必要がなければ、ステップＳ２０７へ移行する。その後、発生したイベントを実行し、セグメントＬＥＤ２１へ表示すべき情報が表示される（ステップＳ２０７）。
【００３９】
次に、具体的に携帯電話機１に着信があった場合において、セグメントＬＥＤ２１の表示に及び関連する動作に関して、図９のフローチャートで示したステップＳ２０６の変換する動作の詳細を含めて、図１０乃至図１３を用いて説明する。なお、図１３（Ａ）乃至図１３（Ｃ）に示されたカタカナとローマ字の対応関係の情報、及び図１３（Ｄ）に示された記号の情報に関しては、記憶部１１５の文字変換テーブル記憶部１１５ｂに記憶される。
【００４０】
次に、図９で説明したイベント発生時のセグメントＬＥＤ２１の表示について、「着信が発生した」というイベント発生時の場合を例に図１０を用いて説明する。  
まず、制御部１０１は、携帯電話機１に着信があったか否かを判断し（ステップＳ３０１）、着信があったと判断された場合には、シェルが開いている状態か閉じている状態かを判断する（ステップＳ３０２）。そして、シェルが開いている状態である場合には（ステップＳ３０２のＹｅｓ）、制御部１０１は、第２表示制御部１１３に対してサブ表示部１３のセグメントＬＥＤ２１の表示を行わないように制御し、更に第１表示制御部１０５に対してディスプレイ５に着信があった旨を表示するように制御する。更には、着信音が鳴動するように制御する（ステップＳ３１０）。
【００４１】
一方、ステップＳ３０２において、シェルが閉じている状態である場合には（ステップＳ３０２のＮｏ）、通信網から送られてきた発信元の電話番号情報が、電話帳情報記憶部１１５ａに記憶された電話番号と一致するか否か、つまり電話帳に登録された番号からの着信であるか否かを判断する（ステップＳ３０３）。そして、電話帳に登録された番号からの着信である場合には、セグメントＬＥＤ２１への名前表示設定が禁止されているか否かを判断する（ステップＳ３０４）。また、ステップＳ３０３において電話帳に登録された番号からの着信ではない場合にはステップＳ３０８へ移行する。
【００４２】
ステップＳ３０４において、セグメントＬＥＤ２１への名前表示設定が禁止されている場合は（ステップＳ３０４のＹｅｓ）、ステップＳ３０８へ移行する。また、ステップＳ３０４において、セグメントＬＥＤ２１への名前表示設定が禁止されていない場合には、当該着信があった電話番号に対応付けられたフリガナの情報を、フリガナを記憶するエリア８２より読み出す（ステップＳ３０５）。そして、読み出したフリガナの情報を後述する図１２に示したフローに基づいてローマ字情報への変換処理をフリガナ情報の文字列について行う（ステップＳ３０６・ステップＳ３０７）。その後ステップＳ３０８へ移行する。
【００４３】
その後、ステップＳ３０８において、制御部１０１は、着信があった旨を知らせるセグメント表示情報をイベント情報９１に対応付けられた閉状態表示変換情報９２又は開状態表示変換情報９３に基づいてセグメントＬＥＤ２１の表示変換情報を読み出し（図７参照・前述説明）、制御部１０１は、ローマ字変換した情報を表示するのであれば、ローマ字変換した情報をセグメントＬＥＤ２１へ読み出した情報とともに表示し、更に着信音を鳴動させる（ステップＳ３０９）。
【００４４】
次に、図１１を用いて、図１０において、ステップＳ３０９におけるセグメント表示またはステップＳ３１０におけるディスプレイ表示後の動作について説明する。  
まず、ステップＳ３１０において、ディスプレイ５に着信があった旨を表示されたのち（図１０の（Ａ））、制御部１０１は、シェルの状態が開状態から閉状態に変化したか否かを判断する（ステップＳ３１１）。そして、閉状態に変化したことが検出された場合は図１０のステップＳ３０３に移行する（Ｙｅｓ方向、（Ｃ））。また、シェルの状態が開状態のままであると検出された場合は、通話開始操作がなされたか否かを判断する（ステップＳ３１２）。これは例えば通話キー７０による操作などを指す。そして、通話開始操作がなされたと判断された場合（ステップＳ３１２のＹｅｓ）、通話状態に移行する（ステップＳ３１３）。また、通話操作がなされていないと判断された場合は（ステップＳ３１２のＮｏ）、次に着信が切断されたか否かを判断する（ステップＳ３１４）。着信（通信）が切断された場合として、発信者側から通信を切断された場合が考えられる。そして、着信が切断されず、継続されていると判断された場合は（ステップＳ３１４のＮｏ方向、（Ｆ））、再度ステップＳ３１０に戻り、ディスプレイ５の表示及び着信音の鳴動が継続される。また、着信が切断されたと判断された場合は（ステップＳ３１４のＹｅｓ）、ディスプレイ５の表示及び着信音鳴動を終了させる（ステップＳ３１５）。
【００４５】
次に、ステップＳ３０９において、セグメントＬＥＤ２１の表示及び着信音が鳴動されたのち、制御部１０１はシェルの状態が閉状態から開状態に変化したか否かを判断する（ステップＳ３１６）。そして、開状態に変化したことが検出された場合は図１０のステップＳ３１０に移行する（Ｙｅｓ方向、（Ｄ））。また、シェルの状態が閉状態のままであると検出された場合は、通話開始操作がなされたか否かを判断する（ステップＳ３１７）。これは例えば通話キー７０による操作などを指す。そして、通話開始操作がなされたと判断された場合（ステップＳ３１７のＹｅｓ）、通話状態に移行する（ステップＳ３１３）。また、通話操作がなされていないと判断された場合は（ステップＳ３１７のＮｏ）、次に着信が切断されたか否かを判断する（ステップＳ３１８）。着信（通信）が切断された場合として、発信者側から通信を切断された場合が考えられる。そして、着信が切断されず、継続されていると判断された場合は（ステップＳ３１８のＮｏ方向、（Ｅ））、再度ステップＳ３０９に戻り、セグメントＬＥＤ２１の表示及び着信音の鳴動が継続される。また、着信が切断されたと判断された場合は（ステップＳ３１８のＹｅｓ）、ディスプレイ５の表示及び着信音鳴動を終了させる（ステップＳ３１９）。
【００４６】
次に、図１２を用いて、図１０において説明したステップＳ３０６・Ｓ３０７のローマ字変換について詳細を説明する。  
まず、制御部１０１は、電話帳情報記憶部１１５ａのフリガナを記憶するエリア８２に記憶されたフリガナの文字列データを読み出す（ステップＳ４０１）。その後、そのフリガナの文字列データの中から、カタカナ情報（図１３（Ａ）乃至（Ｃ）に記載されたカタカナ）及び図１３（Ｄ）に示された表示可能記号一覧に示された記号に該当しない文字・記号については、その文字列から削除する（ステップＳ４０２）。
【００４７】
次に制御部１０１は、変換する対象の文字とその後に続く２文字とを合わせた３文字（一番初めは文字列の初めの３文字）が文字変換テーブル記憶部１１５ｂに記憶されている３文字変換テーブル（図１３（Ｃ））に該当する文字があるか否かを検索する（ステップＳ４０３）。その結果、３文字変換テーブルと一致した文字があった場合（ステップＳ４０４のＹｅｓ）、その３文字を３文字変換テーブルに基づいて変換する（ステップＳ４１２）。その後ステップＳ４１３へ進む。
【００４８】
一方、３文字変換テーブルと一致した文字がなかった場合（ステップＳ４０４のＮｏ）、次に変換する対象の文字とその後に続く１文字とを合わせた２文字（一番初めは文字列の初めの２文字）が文字変換テーブル記憶部１１５ｂに記憶されている２文字変換テーブル（図１３（Ｂ））に該当する文字があるか否かを検索する（ステップＳ４０５）。その結果、２文字変換テーブルと一致した文字があった場合（ステップＳ４０６のＹｅｓ）、その２文字を２文字変換テーブルに基づいて変換する（ステップＳ４１２）。その後ステップＳ４１３へ進む。
【００４９】
一方、２文字変換テーブルと一致した文字がなかった場合（ステップＳ４０６のＮｏ）、次に変換する対象の文字（一番初めは文字列の初めの文字）が文字変換テーブル記憶部１１５ｂに記憶されている１文字変換テーブル（図１３（Ａ））に該当する文字があるか否かを検索する（ステップＳ４０７）。その結果、１文字変換テーブルと一致した文字があった場合（ステップＳ４０８のＹｅｓ）、その１文字を１文字変換テーブルに基づいて変換する（ステップＳ４１２）。その後ステップＳ４１３へ進む。
【００５０】
一方、１文字変換テーブルと一致した文字がなかった場合（ステップＳ４０８のＮｏ）、変換する対象の文字が促音の「ッ」であるか否かを判断する（ステップＳ４０９）。そして、促音の「ッ」でない場合にはステップＳ４１０ａへ進み、促音の「ッ」である場合にはステップＳ４１０ｂへ進む。
【００５１】
ここで、ステップＳ４０９において、変換する対象の文字が、促音「ッ」ではない場合には、セグメント表示できない文字として扱い、当該文字を表示しないようにする（ステップＳ４１０ａ）。また、ステップＳ４０９において、変換する対象の文字が、促音「ッ」である場合には、現在変換対象の文字の次の変換対象の文字がセグメント表示できない文字であるか、又は変換対象の文字が文字列の末尾であるかのいずれかに該当するか否かを判断する（ステップＳ４１０ｂ）。そして、現在変換対象の文字の次の変換対象の文字が、セグメント表示できない文字、又は変換対象の文字が文字列の末尾である場合には、当該促音「ッ」の文字を表示せず切り捨て、非表示とする（ステップＳ４１１ｂ）。その後、ステップＳ４１３へ進む。
【００５２】
また、ステップＳ４１０ｂにおいて、現在変換対象の文字の次の変換対象の文字が、セグメント表示できない文字であること、変換対象の文字が文字列の末尾であることのいずれにも該当しない場合には（ステップＳ４１０ｂのＮｏ）、次に表示されるアルファベットの第１番目のアルファベットに変換するように制御する（ステップＳ４１１）。その後、ステップＳ４１３へ進む。
【００５３】
次に、変換対象のフリガナが変換処理された場合は、該当文字列が全て変換終了したか否かを判断し（ステップＳ４１３）、全て変換終了していない場合には、次の変換対象の文字を次に切替えて、ステップＳ４０３より変換を行う（ステップＳ４１３のＮｏ）。また、全ての変換対象の文字の変換処理がなされた場合には、変換処理を終了する。
【００５４】
以上のように、本実施例において、サブ液晶の代わりに例えばセグメントＬＥＤなどの他の発光素子を用いた場合においても、ユーザにより多くの情報を表示できる携帯電話機を提供することができる。
【００５５】
なお、本発明は、この実施例に限定されるものではない。例えば、携帯電話機だけではなく、ＰＤＡやＰＨＳなどの他の携帯端末にも適用可能である。また、フリガナからローマ字に変換する例を示したが、その他の文字からの変換や、その他の文字への変換でも応用可能である。また、着信発生の時に限定されることなく、メールの送受信、音声発信、ＴＶ電話の発着信にも適用可能であることはいうまでもない。
【図面の簡単な説明】
【００５６】
【図１】携帯電話機１を１８０度開いたときの構造を示した図。
【図２】携帯電話機１を閉じたときの構造を示した図。
【図３】携帯電話機１のディスプレイ５の表示例を示した図、及びキー６の配置の一例を示した図。
【図４】携帯電話機１の構成を簡潔に示したブロック図。
【図５】携帯電話機１のディスプレイ５に電話帳情報を表示した際の一例を示した図、及び電話帳情報の詳細を説明するための図。
【図６】携帯電話機１のサブ表示部１３の詳細図、及びセグメントＬＥＤ２１の表示の一例。
【図７】携帯電話機１で発生するイベントと該イベント発生時にセグメントＬＥＤ２１に表示する一例を示した図。
【図８】携帯電話機１で発生するイベントと該イベント発生時にセグメントＬＥＤ２１に表示する一例を示した図。
【図９】イベントが発生した場合の制御部１０１の制御を示すフローチャート。
【図１０】着信が発生した場合の制御部１０１の制御を示すフローチャート。
【図１１】着信が発生した場合の制御部１０１の制御を示すフローチャートの続き。
【図１２】フリガナ情報をローマ字情報に変換する制御のフローチャート。
【図１３】フリガナ情報をローマ字情報に変換する制御に用いる変換テーブルの一例を示した図。
【符号の説明】
【００５７】
１  携帯電話機
２  上筐体部
３  ヒンジ部
４  下筐体部
５  ディスプレイ
６  キー
７  サイドキー
８  マイク（送話口）
９  レシーバ（受話口）
１１ａ、１１ｂ  磁気センサ
１２  カメラ
１３  サブ表示部
２１  セグメントＬＥＤ
２２  単体ＬＥＤ
５１  アンテナピクト
５２  電池ピクト
５３  時刻表示
５４  左下ピクト
５５  中下ピクト
５６  右下ピクト
６１  数字キー
６２  「＊」キー
６３  「＃」キー
６４  ソフトキー左
６５  ソフトキー中
６６  ソフトキー右
６７  十字キー
６８  メールキー
６９  ブラウザキー
７０  通話キー
７１  電源キー
７２  クリアキー
１０１  制御部
１０５  第１表示制御部
１０６  入力部
１０８  マイク
１０９  スピーカ
１１２  カメラ
１１３  第２表示制御部
１１５  記憶部
１１６  通信部
１１７  アンテナ
【図１】
0004587943.tif 000002
【図２】
0004587943.tif 000003
【図３】
0004587943.tif 000004
【図４】
0004587943.tif 000005
【図５】
0004587943.tif 000006
【図６】
0004587943.tif 000007
【図７】
0004587943.tif 000008
【図８】
0004587943.tif 000009
【図９】
0004587943.tif 000010
【図１０】
0004587943.tif 000011
【図１１】
0004587943.tif 000012
【図１２】
0004587943.tif 000013
【図１３】
0004587943.tif 000014